(57)【要約】【課題】不要な収納ケースへの関連情報の送信処理を軽減しつつ、ユーザにとっての利便性の向上を実現する撮像装置を提供する。【解決手段】撮像装置１０は、撮像レンズ１１１がレンズカバー１５に覆われた状態で筐体１１が収納ケース２０に収納されたと判断したとき、撮像装置１０の電源をオンにさせるように電源制御部１４２を制御して、関連情報を収納ケース２０に設けられている通信部２３に送信させるように通信部１２６を制御し、その後撮像装置１０の電源をオフにさせるように電源制御部１４２を制御する送信制御部１４４を備える。【選択図】  図１
2009188538.tif 000002
【特許請求の範囲】
【請求項１】
被写体に対向される撮像レンズを前面に露出させてレンズ装置が収納される筐体に、該撮像レンズを覆う第１の位置と該撮像レンズを開放する第２の位置とに移動され、移動位置が検出される被検出用素子を有するレンズカバーが設けられた撮像装置において、
上記レンズカバーが有する上記被検出用素子を検出することによって、上記撮像レンズが該レンズカバーに覆われているか、又は、該撮像レンズが該レンズカバーに対して開放されているかを検出する第１の検出手段と、
上記筐体が収納ケースに収納されたことを検出する第２の検出手段と、
当該撮像装置に関する関連情報を上記収納ケースに送信する送信手段と、
上記第１の検出手段による検出結果に基づいて、上記撮像レンズが上記レンズカバーに覆われているとき当該撮像装置の電源をオフにし、該撮像レンズが該レンズカバーに対して開放されているとき当該撮像装置の電源をオンにする制御を行う電源制御手段と、
上記第１の検出手段による検出結果と上記第２の検出手段による検出結果とに基づいて、上記撮像レンズが上記レンズカバーに覆われた状態で上記筐体が上記収納ケースに収納されたと判断したとき、当該撮像装置の電源をオンにさせるように上記電源制御手段を制御して、上記関連情報を該収納ケースに設けられている受信手段に送信させるように上記送信手段を制御し、その後当該撮像装置の電源をオフにさせるように該電源制御手段を制御する送信制御手段とを備える撮像装置。
【請求項２】
当該撮像装置の電源がオフであることを示す電源制御情報を記憶する第１の記憶手段と、
上記送信手段により上記関連情報を上記収納ケースへ送信したか否かを示す送信制御情報を記憶する第２の記憶手段とを更に備え、
上記第１の検出手段と上記第２の検出手段とは、上記レンズカバーが有する上記被検出用素子を検出するための検出素子を兼用し、
上記第１の検出手段は、上記レンズカバーが有する被検出用素子が上記検出素子により検出され、上記第１の記憶手段に記憶されている電源制御情報が当該撮像装置の電源がオフであることを示していないとき、該撮像レンズが該レンズカバーに対して開放されていることを検出し、
上記第２の検出手段は、上記収納ケースに設けられた被検出用素子が上記検出素子により検出され、上記第１の記憶手段に記憶されている電源制御情報が当該撮像装置の電源がオンであることを示しているとき、当該撮像装置の電源がオフの状態で該収納ケースに収納されたことを検出し、
上記送信制御手段は、上記第２の記憶手段に記憶されている送信制御情報が上記関連情報を上記収納ケースに送信していないことを示し、かつ、上記第１の検出手段による検出結果と上記第２の検出手段による検出結果とに基づいて上記撮像レンズが上記レンズカバーに覆われた状態で上記筐体が上記収納ケースに収納されたと判断したとき、当該撮像装置の電源をオンにさせるように上記電源制御手段を制御して、該関連情報を該収納ケースに設けられている受信手段に送信させるように上記送信手段を制御し、その後当該撮像装置の電源をオフにさせるように該電源制御手段を制御することを特徴とする請求項１記載の撮像装置。
【請求項３】
ユーザからの操作命令が入力される操作入力手段を更に備え、
上記送信制御手段は、上記操作入力手段により操作命令が入力されたとき、上記送信手段が上記関連情報を上記収納ケースに送信してないことを示すように、上記第２の記憶手段に記憶される送信制御情報を書き換えることを特徴とする請求項２記載の撮像装置。
【請求項４】
上記第２の検出手段は、上記送信手段と、上記収納ケースに設けられている受信手段との間での通信可能状態を、上記筐体が収納ケースに収納されたこととして検出することを特徴とする請求項１記載の撮像装置。
【請求項５】
被写体に対向される撮像レンズを前面に露出させてレンズ装置が収納される筐体に、該撮像レンズを覆う第１の位置と該撮像レンズを開放する第２の位置とに移動され、移動位置が検出される被検出用素子を有するレンズカバーが設けられた撮像装置の制御方法において、
上記レンズカバーが有する上記被検出用素子を検出することによって、上記撮像レンズが該レンズカバーに覆われているか、又は、該撮像レンズが該レンズカバーに対して開放されているかを検出する第１の検出ステップと、
上記第１の検出ステップによる検出結果に基づいて、上記撮像レンズが上記レンズカバーに覆われているとき当該撮像装置の電源をオフにし、該撮像レンズが該レンズカバーに対して開放されているとき当該撮像装置の電源をオンにする制御を行う電源制御ステップと、
上記筐体が収納ケースに収納されたことを検出する第２の検出ステップと、
上記第１の検出ステップによる検出結果と上記第２の検出ステップによる検出結果とに基づいて、上記撮像レンズが上記レンズカバーに覆われた状態で上記筐体が上記収納ケースに収納されたと判断したとき、当該撮像装置の電源をオンにして当該撮像装置に関する関連情報を上記収納ケースに送信し、その後当該撮像装置の電源をオフにする送信ステップとを有する撮像装置の制御方法。
【請求項６】
被写体に対向される撮像レンズを前面に露出させてレンズ装置が収納される筐体に、該撮像レンズを覆う第１の位置と該撮像レンズを開放する第２の位置とに移動され、移動位置が検出される被検出用素子を有するレンズカバーが設けられた撮像装置と、
上記撮像装置を収納する収納ケースとを備え、
上記撮像装置は、
上記レンズカバーが有する上記被検出用素子を検出することによって、上記撮像レンズが該レンズカバーに覆われているか、又は、該撮像レンズが該レンズカバーに対して開放されているかを検出する第１の検出手段と、
上記筐体が上記収納ケースに収納されたことを検出するための第２の検出手段と、
当該撮像装置に関する関連情報を上記収納ケースに送信する送信手段と、
上記第１の検出手段による検出結果に基づいて、上記撮像レンズが上記レンズカバーに覆われているとき当該撮像装置の電源をオフにし、該撮像レンズが該レンズカバーに対して開放されているとき当該撮像装置の電源をオンにする制御を行う電源制御手段と、
上記第１の検出手段による検出結果と上記第２の検出手段による検出結果とに基づいて、上記撮像レンズが上記レンズカバーに覆われた状態で上記筐体が上記収納ケースに収納されたと判断したとき、当該撮像装置の電源をオンにさせるように上記電源制御手段を制御して、上記関連情報を該収納ケースに設けられている受信手段に送信させるように上記送信手段を制御して、その後当該撮像装置の電源をオフにさせるように該電源制御手段を制御する送信制御手段とを有し、
上記収納ケースは、
上記送信手段により送信される上記関連情報を受信する受信手段と、
上記受信手段により受信した関連情報を表示する表示手段とを有することを特徴とする情報表示システム。
【発明の詳細な説明】
【技術分野】
【０００１】
本発明は、被写体に対向される撮像レンズを前面に露出させてレンズ装置が収納される筐体に、撮像レンズを覆う第１の位置と撮像レンズを開放する第２の位置とに移動されるレンズカバーが設けられた撮像装置、この撮像装置の制御方法、及び、この撮像装置が収納される収納ケースに設けられた表示手段に撮像装置に関する関連情報を表示する情報表示システムに関するものである。
【背景技術】
【０００２】
撮像装置を収納するための収納ケースは、主に撮像装置本体を衝撃や落下から保護して傷がつかないようにすること、動作不良や支障が起きないことを目的に広く用いられている。収納ケースの差異としては、大きさや形、材質、デザインなどである。
【０００３】
また、特許文献１には、これらとは別の差異を有する収納ケースとして、収納ケースに収納される撮像装置の起動や終了動作を操作可能な収納ケースが記載されている。この特許文献１に記載された収納ケースでは、撮像装置を収納したり取り出したりする動作に合わせて、撮像装置の電源スイッチをスライドさせることにより、電源の消し忘れや起動作業時間の短縮を実現している。
【０００４】
しかしながら、上記のような特許文献１に記載された収納ケースでは、従来の基本機能に加えて撮像装置の電源スイッチをスライドさせることにより、電源の消し忘れや起動作業時間の短縮を実現するのみであり、収納される撮像装置に関する関連情報をユーザが知ることができない。すなわち、特許文献１に記載された撮像装置では、収納時に電源がオフになるため、電池残量やカメラモードなどの撮像装置に関する関連情報が収納時に分からない上、メモリ容量などの情報も収納ケースから取り出されない限り分からないという不便さがある。
【０００５】
また、従来の収納ケースのように全体を牛皮などで覆った透過性のない物では、ケースの中で電源を入れても画面が見られないため、上述した撮像装置に関する関連情報が収納時に分からないという不便さがある。
【０００６】
【特許文献１】特開２０００−２３７２７号公報
【発明の開示】
【発明が解決しようとする課題】
【０００７】
本発明は、このような実情に鑑みて提案されたものであり、例えば頻繁に撮像装置を収納ケースから出し入れをしないで、撮像装置の使用が完了して収納ケースに収納されうるような形態で撮像装置が収納ケースに収納されたときのみ、撮像装置に関する関連情報を収納ケース上に表示する目的で送信することによって、不要な収納ケースへの関連情報の送信処理を軽減しつつユーザにとっての利便性の向上を実現する撮像装置、この撮像装置の制御方法、及びこの撮像装置と収納ケースとからなる情報表示システムを提供することを目的とする。
【課題を解決するための手段】
【０００８】
上述した課題を解決するための手段として、本発明に係る撮像装置は、被写体に対向される撮像レンズを前面に露出させてレンズ装置が収納される筐体に、撮像レンズを覆う第１の位置と撮像レンズを開放する第２の位置とに移動され、移動位置が検出される被検出用素子を有するレンズカバーが設けられた撮像装置において、レンズカバーが有する被検出用素子を検出することによって、撮像レンズがレンズカバーに覆われているか、又は、撮像レンズがレンズカバーに対して開放されているかを検出する第１の検出手段と、筐体が収納ケースに収納されたことを検出する第２の検出手段と、当該撮像装置に関する関連情報を収納ケースに送信する送信手段と、第１の検出手段による検出結果に基づいて、撮像レンズがレンズカバーに覆われているとき当該撮像装置の電源をオフにし、撮像レンズがレンズカバーに対して開放されているとき当該撮像装置の電源をオンにする制御を行う電源制御手段と、第１の検出手段による検出結果と第２の検出手段による検出結果とに基づいて、撮像レンズがレンズカバーに覆われた状態で筐体が収納ケースに収納されたと判断したとき、当該撮像装置の電源をオンにさせるように電源制御手段を制御して、関連情報を収納ケースに設けられている受信手段に送信させるように送信手段を制御し、その後当該撮像装置の電源をオフにさせるように電源制御手段を制御する送信制御手段とを備える。
【０００９】
また、本発明に係る撮像装置の制御方法は、被写体に対向される撮像レンズを前面に露出させてレンズ装置が収納される筐体に、撮像レンズを覆う第１の位置と撮像レンズを開放する第２の位置とに移動され、移動位置が検出される被検出用素子を有するレンズカバーが設けられた撮像装置の制御方法において、レンズカバーが有する被検出用素子を検出することによって、撮像レンズがレンズカバーに覆われているか、又は、撮像レンズがレンズカバーに対して開放されているかを検出する第１の検出ステップと、第１の検出ステップによる検出結果に基づいて、撮像レンズがレンズカバーに覆われているとき当該撮像装置の電源をオフにし、撮像レンズがレンズカバーに対して開放されているとき当該撮像装置の電源をオンにする制御を行う電源制御ステップと、筐体が収納ケースに収納されたことを検出する第２の検出ステップと、第１の検出ステップによる検出結果と第２の検出ステップによる検出結果とに基づいて、撮像レンズがレンズカバーに覆われた状態で筐体が収納ケースに収納されたと判断したとき、当該撮像装置の電源をオンにして当該撮像装置に関する関連情報を収納ケースに送信し、その後当該撮像装置の電源をオフにする送信ステップとを有する。
【００１０】
また、本発明に係る情報表示システムは、被写体に対向される撮像レンズを前面に露出させてレンズ装置が収納される筐体に、撮像レンズを覆う第１の位置と撮像レンズを開放する第２の位置とに移動され、移動位置が検出される被検出用素子を有するレンズカバーが設けられた撮像装置と、撮像装置を収納する収納ケースとを備え、撮像装置は、レンズカバーが有する被検出用素子を検出することによって、撮像レンズがレンズカバーに覆われているか、又は、撮像レンズがレンズカバーに対して開放されているかを検出する第１の検出手段と、筐体が収納ケースに収納されたことを検出するための第２の検出手段と、当該撮像装置に関する関連情報を収納ケースに送信する送信手段と、第１の検出手段による検出結果に基づいて、撮像レンズがレンズカバーに覆われているとき当該撮像装置の電源をオフにし、撮像レンズがレンズカバーに対して開放されているとき当該撮像装置の電源をオンにする制御を行う電源制御手段と、第１の検出手段による検出結果と第２の検出手段による検出結果とに基づいて、撮像レンズがレンズカバーに覆われた状態で筐体が収納ケースに収納されたと判断したとき、当該撮像装置の電源をオンにさせるように電源制御手段を制御して、関連情報を収納ケースに設けられている受信手段に送信させるように送信手段を制御して、その後当該撮像装置の電源をオフにさせるように電源制御手段を制御する送信制御手段とを有し、収納ケースは、送信手段により送信される関連情報を受信する受信手段と、受信手段により受信した関連情報を表示する表示手段とを有することを特徴とする。
【発明の効果】
【００１１】
本発明は、撮像レンズがレンズカバーに覆われた状態で筐体が収納ケースに収納されたことを判断したときのみ、撮像装置に関する関連情報を収納ケースに送信するので、撮像装置の使用が完了して収納ケースに収納されうるような形態、換言すれば頻繁に撮像装置を収納ケースから出し入れをしない形態で撮像装置が収納ケースに収納されたときのみ、撮像装置に関する関連情報を収納ケース上に表示する目的で送信することにより、不要な収納ケースへの関連情報の送信処理を軽減しつつ、ユーザにとっての利便性の向上を実現することができる。
【発明を実施するための最良の形態】
【００１２】
以下、本発明を実施するための最良の形態について、図面を参照しながら詳細に説明する。
【００１３】
本発明が適用された情報表示システムは、撮像装置と、この撮像装置を収納するとともにこの撮像装置に関する関連情報を表示する収納ケースとからなるものである。
【００１４】
＜第１の実施形態＞
まず、このような情報表示システムの第１の実施形態として、図１に示すように、被写体を撮像して画像データを生成するデジタルスチルカメラなどの撮像装置１０と、この撮像装置１０が収納される収納ケース２０とからなる情報表示システム１を用いて本発明を実施するための最良の形態について説明する。
【００１５】
すなわち、情報表示システム１は、図１（Ａ）と図１（Ｂ）に示すように、撮像装置１０を収納ケース２０に収納したとき、収納ケース２０が備える表示部２４に、撮像装置１０に関する関連情報を表示することによって、収納ケース２０から撮像装置１０を取り出すことなく、この関連情報をユーザが確認可能としたものである。
【００１６】
次に、撮像装置１０の具体的な構成について説明する。
【００１７】
撮像装置１０は、図２（Ａ）及び図２（Ｂ）に示すように、被写体像を取り込む撮像レンズ１１１を前面に露出させてレンズ装置１２１が収納される筐体１１に、撮像レンズ１１１を覆う第１の位置と撮像レンズ１１１を開放する第２の位置とに移動するレンズカバー１５が設けられたものである。
【００１８】
ここで、図２（Ａ）は、被写体像を集光する撮像レンズ１１１を覆う第１の位置にレンズカバー１５が位置しているときの撮像装置１０の外観を示した図であり、図２（Ｂ）は、撮像レンズ１１１を開放する第２の位置にレンズカバー１５が位置しているときの撮像装置１０の外観を示した図である。
【００１９】
また、撮像装置１０は、筐体１１側に、被写体を照射するストロボ１１２と、ユーザが撮像装置１０を操作するための操作命令が入力される操作入力部１１３とを備える。また、撮像装置１０は、レンズカバー１５の移動位置を検出するための検出手段の一例として、磁力の変化を検出するホール素子１１４を備える。
【００２０】
また、レンズカバー１５は、筐体１１側のホール素子１１４にレンズカバー１５の移動位置を検出させるための被検出用素子として、磁力素子１５１を有している。
【００２１】
撮像装置１０では、ホール素子１１４にレンズカバー１５の移動位置を検出させるため、例えば、ホール素子１１４と磁力素子１５１とが次のように配置されている。
【００２２】
すなわち、撮像装置１０では、第２の位置にレンズカバー１５が移動することによって、ホール素子１１４と磁力素子１５１とが互いに近接するような位置関係となるように、ホール素子１１４と磁力素子１５１とがそれぞれ筐体１１とレンズカバー１５に配置している。
【００２３】
このような配置にすることによって、ホール素子１１４は、磁力素子１５１が近接することによる磁力の変化を、レンズカバー１５が第２の位置に移動したものとして検出する。
【００２４】
なお、撮像装置１０では、レンズカバー１５の移動位置を検出するため、筐体１１とレンズカバー１５に、それぞれ検出素子と被検出用素子が設けられていればよく、上述した磁力の変化によって移動位置を検出する場合に限定されるものではない。
【００２５】
また、撮像装置１０は、図３に示すように、レンズ装置１２１と、撮像処理部１２２と、信号処理部１２３と、画像記録部１２４と、表示部１２５と、通信部１２６と、コネクタ１２７と、制御部１２８と、バッテリ１２９とを備える。
【００２６】
レンズ装置１２１は、上述した撮像レンズ１１１から取り込まれた被写体像を、撮像処理部１２２に設けられている撮像素子の受光面に集光させる。
【００２７】
撮像処理部１２２は、ＣＭＯＳやＣＣＤなどの撮像素子により受光された光を光電変換して、所定のアナログ信号処理を施した撮像信号を信号処理部１２３に供給する。
【００２８】
信号処理部１２３は、撮像処理部１２２から供給される撮像信号に対して、所定の信号処理を施す。具体的に、信号処理部１２３は、撮像処理部１２２から供給される撮像信号を、画像記録部１２４に記録させるための記録形式に従って記録用の画像データに変換する。また、信号処理部１２３は、撮像信号を表示部１２５に表示させるための表示形式に従って表示用の画像データに変換する。また、信号処理部１２３は、後述する撮像装置１０に関する関連情報を通信部１２６に供給する。
【００２９】
画像記録部１２４は、フラッシュメモリ等の不揮発性の記録手段であって、信号処理部１２３から供給される画像データを記録し、記録した画像データを信号処理部１２３に読み出す処理を行う。
【００３０】
表示部１２５は、例えば液晶ディスプレイなどの画像を表示する表示手段であって、信号処理部１２３から供給される画像データの表示を行う。また、表示部１２５は、撮像装置１０の電源供給手段であるバッテリ１２９の残容量を示すバッテリ残量情報、画像記録部１２４に記録可能な残データ容量を示すメモリ残量情報、撮像処理の設定に関する撮像設定モード情報などの撮像装置１０に関する関連情報を表示する。
【００３１】
なお、これらの関連情報は、制御部１２８によって管理され、例えば上述した画像記録部１２４に記録される。
【００３２】
通信部１２６は、信号処理部１２３から供給される関連情報に所定の変調処理を施して、変調処理を施した送信信号をコネクタ１２７を介して収納ケース２０側に送信する。
【００３３】
コネクタ１２７は、例えばＵＳＢインタフェースなどのデータ通信を行う接続端子であって、後述する収納ケース２０が備えるコネクタ２２と接続されることによって通信可能状態となる。
【００３４】
なお、通信部１２６は、コネクタ１２７を介して関連情報の送信処理を行う場合に限定されるものではなく、電磁気、電波の共振を利用して通信処理を行うＲＦＩＤ（Radio Frequency Identification）などの共振アンテナを用いて収納ケース２０側との間で通信を行うようにしてもよい。
【００３５】
制御部１２８は、バッテリ１２９から電源を供給して、各処理部を制御する制御手段である。具体的に、制御部１２８は、被写体を撮像して、撮像した画像データを画像記録部１２４に記録する処理や表示部１２５に表示する処理を行うための制御を行う。
【００３６】
また、制御部１２８は、図４に示すように、上述した関連情報を、収納ケース２０へ送信するため、検出処理部１４１と、電源制御部１４２と、制御情報記憶部１４３と、送信制御部１４４とを備える。
【００３７】
検出処理部１４１は、ホール素子１１４による検出結果を用いて、撮像レンズ１１１がレンズカバー１５に覆われているか否かの検出処理、及び、撮像装置１０が収納ケース２０に収納されたか否かの検出処理を兼用して行う。
【００３８】
具体的に、検出処理部１４１は、ホール素子１１４からの検出結果、及び後述する制御情報記憶部１４３に記憶されている電源制御情報に基づいて、撮像レンズ１１１がレンズカバー１５に対して開放されているか、又は、撮像装置１０の電源がオフの状態で収納ケース２０に収納されたかを検出する。
【００３９】
電源制御部１４２は、検出処理部１４１による検出結果に基づいて、撮像レンズ１１１がレンズカバー１５に覆われているとき撮像装置１０の電源をオフにし、撮像レンズ１１１がレンズカバー１５に対して開放されているとき撮像装置１０の電源をオンにする制御を行う。
【００４０】
電源制御部１４２は、電源をオンにしたとき、バッテリ１２９からの電源供給により、被写体を撮像可能な撮像モードに設定して各処理部を機能させる。また、電源制御部１４２は、電源をオンにしている状態で、操作入力部１１３から操作命令が入力されない時間が所定時間を上回るとき、バッテリ１２９からの電源供給を制限することによって、各処理部の機能を制限するスリープモードに移行する。本実施形態では、このスリープモード状態も電源がオンの状態として扱う。
【００４１】
また、制御部１２８では、収納ケース２０に収納された時に行う関連情報の送信処理を制御するための制御情報として、次に示すような電源制御情報と送信制御情報とを、制御情報記憶部１４３の記憶領域において管理する。
【００４２】
すなわち、制御情報記憶部１４３では、第１の記憶手段として、撮像レンズ１１１がレンズカバー１５に覆われて撮像装置１０の電源がオフであることを示す電源制御情報を記憶する。本実施の形態において、制御情報記憶部１４３では、電源がオフであるとき電源制御情報の値を「０」とし、電源がオンであるのときは電源制御情報の値を「１」として記憶する。
【００４３】
また、制御情報記憶部１４３では、第２の記憶手段として、通信部１２６により関連情報を送信したか否かを示す送信制御情報を記憶する。本実施の形態において制御情報記憶部１４３では、通信部１２６により関連情報を送信していないとき、送信制御情報の値を「０」とし、通信部１２６により関連情報を送信したとき、送信制御情報の値を「１」として記憶する。
【００４４】
送信制御部１４４は、検出処理部１４１による検出結果、及び制御情報記憶部１４３に記憶されている制御情報に基づいて、関連情報の送信処理を制御する。
【００４５】
以上のような構成からなる撮像装置１０を収納する収納ケース２０は、磁力素子２１と、コネクタ２２と、通信部２３と、表示部２４とを備える。
【００４６】
磁力素子２１は、レンズカバー１５の移動位置に関わらず、収納した撮像装置１０が備えるホール素子１１４に対して、レンズカバー１５が第２の位置に移動したものとして検出させるために設けられた被検出用素子である。すなわち、磁力素子２１は、撮像装置１０を収納したとき、この撮像装置１０が備えるホール素子１１４と近接する位置に設けられている。このように収納ケース２０側に磁力素子２１を配置することによって、ホール素子１１４では、磁力素子２１による磁力の変化によって、レンズカバー１５が実際の移動位置に関わらず第２の位置に移動したものとして検出する。
【００４７】
コネクタ２２は、上述した撮像装置１０側に設けられているコネクタ１２７と通信可能に接続される接続手段であって、撮像装置１０側から送信される信号を通信部２３に供給する。また、収納ケース２０では、コネクタ２２が、撮像装置１０側に設けられているコネクタ１２７と接続されることによって電源供給を受け、通信部２３及び表示部２４が動作可能状態となる。
【００４８】
通信部２３は、撮像装置１０側から送信されてくる関連情報を、上述したコネクタ２２を介して受信する受信手段である。通信部２３では、撮像装置１０から送信されてくる送信信号に復調処理を施して、復調された関連情報を表示部２４に供給する。
【００４９】
表示部２４は、例えば電子ペーパーなどの常に電源が供給されなくても、一時的に電源が供給され表示処理が行われることによって半永久的に表示され続ける無給電の表示手段である。具体的に、表示部２４は、コネクタ２２を介して撮像装置１０側から供給される電源によって、通信部２３から供給される関連情報を画面上に表示する処理を行い、その後は無給電で表示し続ける。表示部２４は、例えば、図５に示すように、関連情報の一例としてバッテリー残量情報２４１、メモリ残量情報２４２、撮像設定モード情報２４３、画像記録部１２４に記録された画像情報２４４を画面上に表示する。
【００５０】
以上のような撮像装置１０及び収納ケース２０からなる情報表示システム１では、特に、収納ケース２０側の表示部２４の画面サイズを、撮像装置１０本体の表示部１２５よりも大きくすることにより、画像記録部１２４内に記録された画像を大画面で楽しませることができる。また、情報表示システム１では、収納ケース２０に設けられた表示部２４に、例えば画像情報２４４などの、ユーザにとってお気に入りの画像を表示することでユーザに満足感を与えると共に、これまで購入後変えることができなかったケースデザインを自由に変えて周囲にアピールすることもできる。また、収納ケース２０に設けられた表示部２４では、これまで撮像装置１０を収納ケース２０から取り出さなければ確認できなかったバッテリ残量情報やメモリ残量情報などの関連情報を、収納ケース自体が透明なケースでなくても、また、撮像装置１０本体の電源を入れなくてもユーザがすぐに確認できるという効果が得られる。
【００５１】
以上のような構成からなる情報表示システム１では、収納ケース２０への関連情報の不要な送信処理の軽減を図るため、具体的には、図６に示す処理を行うことによって、撮像装置１０の使用が完了して収納ケース２０に収納されうるような形態で撮像装置１０が収納ケース２０に収納されたときのみ、撮像装置１０に関する関連情報を収納ケース２０の表示部２４に表示する目的で送信する。
【００５２】
なお、図６に示す処理は、ユーザによって撮像装置１０が収納ケース２０に収納されることによって開始されるものとする。すなわち、撮像装置１０では、ホール素子１１４と、収納ケース２０が備える磁力素子２１とが近接することによって、レンズカバー１５が第２の位置に移動したものとしてホール素子１１４により検出され、この検出結果が制御部１２８に通知されることによってステップＳ１１の処理が開始される。
【００５３】
ステップＳ１１において、送信制御部１４４は、制御情報記憶部１４３に記憶されている送信制御情報の値が「０」であるか否かを判断する。送信制御部１４４は、送信制御情報の値が「０」であるとき収納ケース２０側に関連情報を送信していないと判断してステップＳ１２に進み、送信制御情報の値が「１」であるとき収納ケース２０側に既に関連情報を送信したと判断して本処理工程を終了する。
【００５４】
ステップＳ１２において、検出処理部１４１は、制御情報記憶部１４３に記憶されている電源制御情報の値が「０」であるか否かを判断する。制御部１２８は、電源制御情報の値が「０」であるときステップＳ１３に進み、電源制御情報が「１」であるとき本処理工程を終了する。
【００５５】
すなわち、制御情報記憶部１４３に記憶されている電源制御情報が「０」のとき、ホール素子１１４によって収納ケース２０に設けられた磁力素子２１が検出されるので、検出処理部１４１は、撮像装置１０の電源がオフの状態で収納ケース２０に収納されたことを検出してステップＳ１３に進む。
【００５６】
これに対して、制御情報記憶部１４３に記憶されている電源制御情報が「１」のとき、ホール素子１１４によってレンズカバー１５が有する磁力素子１５１が検出されるので、検出処理部１４１は、撮像レンズ１１１がレンズカバー１５に対して開放されていることを検出して本処理工程を終了する。
【００５７】
ここで、電源制御情報が「１」のとき本処理工程を終了するのは、電源がオンになった状態であり、撮像装置１０の使用が完了して収納ケース２０に収納されうる形態ではないからである。
【００５８】
ステップＳ１３において、送信制御部１４４は、撮像レンズ１１１がレンズカバー１５に覆われた状態で筐体１１が収納ケース２０に収納されたと判断して、関連情報を収納ケース２０に設けられている通信部２３へ送信させるため、次のように各処理部を制御する。
【００５９】
具体的に、送信制御部１４４は、電源制御部１４２に電源をオンにさせ、収納ケース２０に設けられた表示部２４に関連情報に応じた画像を表示されるまで、コネクタ１２７を介して収納ケース２０側に電源を供給し続けて関連情報の送信を行うように信号処理部１２３及び通信部１２６を制御して、その後電源制御部１４２に電源をオフにさせる。このような処理が行われることによって、収納ケース２０では、撮像装置１０から電源供給がされなくなった後でも、表示部２４が無給電で関連情報に対応する画像を表示し続けることができる。
【００６０】
ステップＳ１４において、送信制御部１４４は、送信制御情報の値が「１」となるように制御情報記憶部１４３に対して書き込み処理を行い、その後電源制御部１４２に電源をオフにさせて本処理工程を終了する。ここで、送信制御情報の値を「１」にするのは、撮像装置１０が収納ケース２０から取り出されることなく再度の関連情報の送信処理が行われてしまうのを防止するためである。
【００６１】
また、撮像装置１０が収納ケース２０から取り出された状態で送信制御情報が「１」の状態で保持されていると、その後再び撮像装置１０が収納ケース２０に収納されたとき、関連情報の送信処理が行われなくなってしまう。そこで、送信制御部１４４は、操作入力部１１３に操作入力が入力されたとき、収納ケース２０から取り出されたと判断して送信制御情報を「０」に初期化するように制御情報記憶部１４３を制御する。
【００６２】
以上のようにして、撮像装置１０では、ステップＳ１１により、制御情報記憶部１４３に記憶されている送信制御情報が、関連情報を収納ケース２０へ送信していないことを示しているとき、ステップＳ１２における検出処理部１４１の検出結果に基づいて、ステップＳ１３において送信制御部１４４が、電源をオンにして関連情報を収納ケース２０に設けられている通信部２３に送信させるように各処理部を制御する。
【００６３】
このようにすることで、情報表示システム１では、撮像装置１０の使用が完了して収納ケース２０に収納されうるような使用形態、換言すれば頻繁に撮像装置１０を収納ケース２０から出し入れをしない使用形態で撮像装置１０が収納ケース２０に収納されたときのみ、撮像装置１０に関する関連情報を収納ケース２０の表示部２４に表示する目的で送信することにより、不要な収納ケース２０への関連情報の送信処理を軽減しつつ、関連情報を収納ケース２０の表示部２４で確認できるというユーザにとっての利便性の向上を実現することができる。
【００６４】
特に、情報表示システム１では、検出処理部１４１が、ホール素子１１４からの検出結果、及び電源制御情報に基づいて、撮像装置１０の電源がオフの状態で収納ケース２０に収納されたことを検出するので、ホール素子１１４以外に、収納ケース２０に収納されたか否かを判断するための検出素子を別途設けることなく、上述したように不要な収納ケース２０への関連情報の送信処理を軽減することができる。
【００６５】
＜第２の実施形態＞
次に、第２の実施形態に係る情報表示システムについて、図７を参照して説明する。
【００６６】
第２の実施形態に係る情報表示システム２は、図７に示すような撮像装置３０と、収納ケース４０とを備える。
【００６７】
撮像装置３０は、第１の実施形態に係る撮像装置１０の筐体１１に更なる構成として、電波又は電磁波の共振現象を用いて通信を行うアンテナ１１５を備えたものである。なお、第１の実施形態に係る撮像装置１０が備える同様の部分に関しては、同様の符号を付してその説明を省略するものとする。すなわち、図７は、第１の位置にレンズカバー１５が位置しているときの撮像装置３０の外観を示したものであり、この図において図示されていないが撮像装置３０は、第１の実施形態と同様に、撮像レンズ１１１及びストロボ１１２を備えているものとする。
【００６８】
撮像装置３０では、第１の実施形態に係る撮像装置１０と同様に、筐体１１に設けられているホール素子１１４が、レンズカバー１５に設けられている磁力素子１５１による磁力の変化を検出することによってレンズカバー１５の移動位置を検出する。さらに、撮像装置３０は、上述したアンテナ１１５が、収納ケース４０に収納されたことを検出する処理を行うため、図８に示すように、レンズ装置１２１と、撮像処理部１２２と、信号処理部１２３と、画像記録部１２４と、表示部１２５と、バッテリ１２９と、通信部１３０と、制御部１３１と、アンテナ１１５とを備える。なお、第１の実施形態に係る撮像装置１０が備える各処理部と同様の処理を行うものに関しては、上述したように同じ符号を付してその説明を省略する。
【００６９】
アンテナ１１５は、例えばＲＦＩＤなどの電磁波や電波を用いてデータ通信を行う通信用の素子であって、収納ケース４０に収納されたときに、この収納ケース４０側に設けられた受信用のアンテナ４１との間で共振することによって通信可能状態となる。
【００７０】
通信部１３０は、信号処理部１２３から供給される関連情報に所定の変調処理を施して、変調処理を施した送信信号をアンテナ１１５を介して収納ケース４０側に送信する。また、通信部１３０は、アンテナ１１５が、収納ケース４０側に設けられたアンテナ４１との間で共振したことを検出し、この検出結果を制御部１３１に通知する。
【００７１】
なお、通信部１３０は、アンテナ１１５を介して関連情報の送信処理を行う場合に限定されるものではなく、収納ケース４０側との間で通信可能となったか否かを検出可能な接続手段を用いて関連情報の通信処理を行うようにしてもよい。
【００７２】
制御部１３１は、第１の実施形態の撮像装置１０の制御部１２８と同様に、被写体を撮像して、撮像した画像データを画像記録部１２４に記録する処理や表示部１２５に表示する処理を行うための制御を行う。
【００７３】
また、制御部１３１は、図９に示すように、電源制御部２０１と、送信制御部２０２とを備える。
【００７４】
電源制御部２０１は、ホール素子１１４による検出結果に基づいて、撮像レンズ１１１がレンズカバー１５に覆われているとき撮像装置３０の電源をオフにし、撮像レンズ１１１がレンズカバー１５に対して開放されているとき撮像装置３０の電源をオンにする制御を行う。
【００７５】
すなわち、電源制御部２０１は、電源をオンにすると、被写体を撮像可能な撮像モードに設定して各処理部を機能させる。また、電源制御部２０１は、電源をオンにしている状態で、操作入力部１１３から操作命令が入力されない時間が所定時間を上回るとき、各処理部の機能を制限するスリープモードに移行する。
【００７６】
送信制御部２０２は、ホール素子１１４による検出結果、及び、通信部１３０から通知される検出結果に基づいて、具体的には後述するように関連情報を収納ケース４０側に送信する。
【００７７】
以上のような構成からなる撮像装置３０を収納する収納ケース４０は、アンテナ４１と、通信部４２と、表示部４３とを備える。
【００７８】
アンテナ４１は、撮像装置３０が収納ケース４０に収納されたときに、撮像装置３０が備えるアンテナ１１５と共振して通信可能状態となるようにするため、例えば、撮像装置３０が収納ケース４０に収納されたときに、撮像装置３０が備えるアンテナ１１５と近接する位置に配置される。
【００７９】
また、アンテナ４１は、撮像装置３０が備えるアンテナ１１５を介して、撮像装置３０側から送信されてくる信号を通信部４２に供給する。また、収納ケース４０では、アンテナ４１が、撮像装置３０が備えるアンテナ１１５と共振して通信可能状態となることによって電源供給を受けることで、通信部４２及び表示部４３が動作可能状態となる。
【００８０】
通信部４２は、撮像装置３０側から送信されてくる関連情報を、上述したアンテナ４１を介して受信する受信手段である。通信部４２では、撮像装置３０側から送信されてくる信号に復調処理を施して、復調処理を施した関連情報を表示部４３に供給する。
【００８１】
表示部４３は、例えば電子ペーパーなどの常に電源が供給されなくても、一時的に電源が供給されて表示処理が行われることによって半永久的に表示され続ける無給電の表示手段である。具体的に、表示部４３は、アンテナ４１を介して撮像装置３０側から供給される電源によって、通信部４２から供給される関連情報を画面上に表示する処理を行い、その後は無給電で表示し続ける。
【００８２】
以上のような構成からなる第２の実施形態に係る情報表示システム２では、収納ケース４０への関連情報の不要な送信処理の軽減を図るため、具体的には、図１０に示す処理を行うことによって、撮像装置３０の使用が完了して収納ケース４０に収納されうるような形態で撮像装置３０が収納ケース４０に収納されたときのみ、撮像装置３０に関する関連情報を収納ケース４０の表示部４３に表示する目的で送信する。
【００８３】
なお、図１０に示す処理は、ユーザによって撮像装置３０が収納ケース４０に収納されることによって開始されるものとする。
【００８４】
ステップＳ２１において、撮像装置３０では、アンテナ１１５と、収納ケース４０に設けられているアンテナ４１とが近接することによって、アンテナ１１５がアンテナ４１と共振して通信可能状態となったことが通信部１３０により検出され、この検出結果が送信制御部２０２に通知される。
【００８５】
ステップＳ２２において、送信制御部２０２は、ホール素子１１４からの検出結果に基づいて、撮像レンズ１１１がレンズカバー１５に覆われているか否かを判断する。ここで、制御部１３１は、撮像レンズ１１１がレンズカバー１５に覆われているときステップＳ２３に進み、撮像レンズ１１１がレンズカバー１５に対して開放されているとき本処理工程を終了する。
【００８６】
ここで、撮像レンズ１１１がレンズカバー１５に対して開放されているときに、本処理工程を終了するのは、撮像装置３０の使用が完了して収納ケース４０に収納されうる使用形態ではないからである。
【００８７】
ステップＳ２３において、送信制御部２０２は、撮像レンズ１１１がレンズカバー１５に覆われた状態で、筐体１１が収納ケース４０に収納されたと判断して、関連情報を収納ケース４０に設けられている通信部４２へ送信させるため、次のように各処理部を制御する。
【００８８】
具体的に、送信制御部２０２は、電源制御部２０１に電源をオンにさせ、収納ケース４０に設けられた表示部４３に関連情報に応じた画像を表示されるまで、アンテナ１１５を介して収納ケース４０側に電源を供給し続けて関連情報の送信を行うように信号処理部１２３及び通信部１３０を制御して、その後電源制御部２０１に電源をオフにさせる。このような処理が行われることによって、収納ケース４０では、撮像装置３０からの電源供給が行われなくなった後でも、表示部４３が、無給電で関連情報に対応する画像を表示し続けることができる。
【００８９】
以上のようにして、撮像装置３０では、ステップＳ２１において、撮像装置３０のアンテナ１１５と、収納ケース４０側のアンテナ４１とが共振して通信可能状態となったことを検出することによって、撮像装置３０の筐体１１が収納ケース４０に収納されたことを通信部１３０が検出し、ステップＳ２２、Ｓ２３において送信制御部２０２が、通信部１３０及びホール素子１１４による検出結果に基づいて、撮像レンズ１１１がレンズカバー１５に覆われた状態で、筐体１１が収納ケース４０に収納されたことを判断して、関連情報を収納ケース４０に設けられている通信部４２に送信させるように各処理部を制御する。
【００９０】
このようにすることで、撮像装置３０は、撮像装置３０の使用が完了して収納ケース４０に収納されうるような形態、換言すれば頻繁に撮像装置３０を収納ケース４０から出し入れをしない使用形態で撮像装置３０が収納ケース４０に収納されたときのみ、撮像装置３０に関する関連情報を収納ケース４０の表示部４３に表示する目的で送信することにより、不要な収納ケース４０への関連情報の送信処理を軽減しつつ、関連情報を収納ケース４０の表示部４３で確認できるというユーザにとっての利便性の向上を実現することができる。
【００９１】
特に、第２の実施形態に係る撮像装置３０では、関連情報を通信するためのアンテナ１１５及び通信部１３０が、筐体１１が収納ケース４０に収納されたことを検出するための手段として兼用するので、収納ケース４０に収納されたか否かを判断するための検出素子を別途設けることなく、不要な収納ケース４０への関連情報の送信処理を軽減することができる。
【００９２】
＜第３の実施形態＞
次に、第３の実施形態に係る情報表示システムについて、図１１を参照して説明する。
【００９３】
第３の実施形態に係る情報表示システム３は、図１１（Ａ）及び図１１（Ｂ）に示すような撮像装置５０と、収納ケース６０とを備える。
【００９４】
撮像装置５０は、第１の実施形態に係る撮像装置１０の筐体１１に更なる構成として、収納ケース６０に収納されたときにかかる圧力を検知する圧力センサ１１６が設けられたものである。なお、第１の実施形態に係る撮像装置１０と同様の部分に関しては、同様の符号を付してその説明を省略するものとする。また、図１１（Ａ）は、第１の位置にレンズカバー１５が位置しているときの撮像装置５０の外観を示したものであり、この図において図示されていないが撮像装置５０は、撮像レンズ１１１及びストロボ１１２を備えているものとする。
【００９５】
また、撮像装置５０では、第１の実施形態に係る撮像装置１０と同様に、筐体１１に設けられているホール素子１１４が、レンズカバー１５に設けられている磁力素子１５１による磁力の変化を検出することによってレンズカバー１５の移動位置を検出する。
【００９６】
さらに、撮像装置５０は、上述したアンテナ１１５が、収納ケース６０に収納されたことを検出する処理を行うため、図１２に示すように、レンズ装置１２１と、撮像処理部１２２と、信号処理部１２３と、画像記録部１２４と、表示部１２５と、通信部１２６と、コネクタ１２７と、バッテリ１２９と、制御部１３２と、圧力センサ１１６とを備える。なお、第１の実施形態に係る撮像装置１０の筐体１１内部に備える各処理部と同様の処理を行うものに関しては、上述したように同じ符号を付してその説明を省略するものとする。
【００９７】
圧力センサ１１６は、撮像装置５０が収納ケース６０に収納されたことを検出するための検出手段であって、例えば、図１１（Ｂ）に示すように撮像装置５０の底面部に設けられている。具体的に、圧力センサ１１６としては、例えば、収納ケース６０が直接接触することによって圧力の変化を検出する感圧センサ素子、及び、撮像装置５０が収納ケース６０に収納されるときの圧力変化を非接触で検出する空圧センサ素子が用いられる。
【００９８】
制御部１３２は、第１の実施形態の撮像装置１０の制御部１２８と同様に、被写体を撮像して、撮像した画像データを画像記録部１２４に記録する処理や表示部１２５に表示する処理を行うための制御を行う。
【００９９】
また、制御部１３２は、図１３に示すように、電源制御部３０１と、送信制御部３０２とを備える。
【０１００】
電源制御部３０１は、ホール素子１１４による検出結果に基づいて、撮像レンズ１１１がレンズカバー１５に覆われているとき撮像装置５０の電源をオフにし、撮像レンズ１１１がレンズカバー１５に対して開放されているとき撮像装置５０の電源をオンにする制御を行う。
【０１０１】
すなわち、電源制御部３０１は、電源をオンにしたとき、バッテリ１２９からの電源供給により、被写体を撮像可能な撮像モードに設定して各処理部を機能させる。また、電源制御部３０１は、電源をオンにしている状態で、操作入力部１１３から操作命令が入力されない時間が所定時間を上回るとき、バッテリ１２９からの電源供給を制限して各処理部の機能を制限するスリープモードに移行する。
【０１０２】
送信制御部３０２は、ホール素子１１４による検出結果、及び、圧力センサ１１６からの検出結果に基づいて、具体的には後述するように関連情報を収納ケース６０に送信する。
【０１０３】
以上のような構成からなる撮像装置５０を収納する収納ケース６０は、第１の実施形態に係る収納ケース２０と同様の構成として、コネクタ２２と、通信部２３と、表示部２４とが設けられている。すなわち、収納ケース６０は、磁力素子を設けていない点以外は第１の実施形態に係る収納ケース２０と構成が同様なので、同様の構成に関しては同一の符号を付して、その説明を省略するものとする。
【０１０４】
以上のような構成からなる第３の実施形態に係る情報表示システム３では、収納ケース６０への関連情報の不要な送信処理の軽減を図るため、具体的には、図１４に示す処理を行うことによって、撮像装置５０の使用が完了して収納ケース６０に収納されうるような形態で撮像装置５０が収納ケース６０に収納されたときのみ、撮像装置５０に関する関連情報を収納ケース６０の表示部２４に表示する目的で送信する。
【０１０５】
なお、図１４に示す処理は、ユーザによって撮像装置５０が収納ケース６０に収納されることによって開始されるものとする。
【０１０６】
ステップＳ３１において、撮像装置５０では、収納ケース６０に収納されたことが圧力センサ１１６によって検出され、この検出結果が送信制御部３０２に通知される。
【０１０７】
ステップＳ３２において、送信制御部３０２は、ホール素子１１４からの検出結果に基づいて、撮像レンズ１１１がレンズカバー１５に覆われているか否かを判断する。ここで、送信制御部３０２は、撮像レンズ１１１がレンズカバー１５に覆われているときステップＳ３３に進み、撮像レンズ１１１がレンズカバー１５に対して開放されているとき本処理工程を終了する。
【０１０８】
撮像レンズ１１１がレンズカバー１５に対して開放されているときに、本処理工程を終了するのは、撮像装置５０の使用が完了して収納ケース６０に収納されうる使用形態ではないからである。
【０１０９】
ステップＳ３３において、送信制御部３０２は、撮像レンズ１１１がレンズカバー１５に覆われた状態で、筐体１１が収納ケース６０に収納されたと判断して、関連情報を収納ケース６０に設けられている通信部２３へ送信させるさせるため、次のように各処理部を制御する。
【０１１０】
具体的に、送信制御部３０２は、電源制御部３０１に電源をオンにさせ、収納ケース６０に設けられた表示部２４に関連情報に応じた画像を表示されるまで、コネクタ１２７を介して収納ケース６０側に電源を供給し続けて関連情報の送信を行うように信号処理部１２３及び通信部１２６を制御して、その後電源制御部３０１に電源をオフにさせる。このような処理が行われることによって、収納ケース６０では、撮像装置５０からの電源供給が行われなくなった後でも、表示部２４が、無給電で関連情報に対応する画像を表示し続けることができる。
【０１１１】
なお、本実施形態のように、単純に撮像装置５０の底面部に圧力センサ１１６を設けた場合には、撮像装置５０が机や台に置いた場合でも本処理工程が行われてしまう。しかし、その場合にはコネクタ１２７に信号が送られるだけであり、また、制御部１３２がコネクタ１２７に接続が感知されていないかを判断すれば本処理工程が行われてしまうこと自体を防止することができる。
【０１１２】
以上のようにして、撮像装置５０では、ステップＳ３１において、撮像装置５０の圧力センサ１１６が撮像装置５０が収納ケース６０に収納されたことを検出し、ステップＳ３２、Ｓ３３において送信制御部３０２がホール素子１１４及び圧力センサ１１６による検出結果に基づいて、撮像レンズ１１１がレンズカバー１５に覆われた状態で、筐体１１が収納ケース６０に収納されたことを判断して、関連情報を収納ケース６０に設けられている通信部２３に送信させるように各処理部を制御する。
【０１１３】
このようにすることで、撮像装置５０では、圧力センサ１１６が、筐体１１が収納ケース２０に収納されたことを検出するための手段として機能することによって、撮像装置５０の使用が完了して収納ケース６０に収納されうるような形態、換言すれば頻繁に撮像装置５０を収納ケース６０から出し入れをしない形態で撮像装置５０が収納ケース６０に収納されたときのみ、撮像装置５０に関する関連情報を収納ケース６０の表示部２４に表示する目的で送信することにより、不要な収納ケース６０への関連情報の送信処理を軽減しつつ、関連情報を収納ケース６０の表示部２４で確認できるというユーザにとっての利便性の向上を実現することができる。
【図面の簡単な説明】
【０１１４】
【図１】第１の実施形態に係る情報表示システムの全体構成を示す図である。
【図２】第１の実施形態に係る撮像装置の外形を示した図である。
【図３】第１の実施形態に係る撮像装置及び収納ケースの構成を説明するためのブロック図である。
【図４】第１の実施形態に係る撮像装置の制御部の構成を説明するためのブロック図である。
【図５】収納ケースに設けられた表示部に表示される画面を示した図である。
【図６】第１の実施形態に係る情報表示システムにおいて行われる関連情報の通信処理の説明に供するフローチャートである。
【図７】第２の実施形態に係る情報表示システムの全体構成を示す図である。
【図８】第２の実施形態に係る撮像装置及び収納ケースの構成を説明するためのブロック図である。
【図９】第２の実施形態に係る撮像装置の制御部の構成を説明するためのブロック図である。
【図１０】第２の実施形態に係る情報表示システムにおいて行われる関連情報の通信処理の説明に供するフローチャートである。
【図１１】第３の実施形態に係る情報表示システムの全体構成を示す図である。
【図１２】第３の実施形態に係る撮像装置及び収納ケースの構成を説明するためのブロック図である。
【図１３】第３の実施形態に係る撮像装置の制御部の構成を説明するためのブロック図である。
【図１４】第３の実施形態に係る情報表示システムにおいて行われる関連情報の通信処理の説明に供するフローチャートである。
【符号の説明】
【０１１５】
１、２、３  情報表示システム、１０、３０、５０  撮像装置、１１  筐体、１１１  撮像レンズ、１１２  ストロボ、１１３  操作入力部、１１４  ホール素子、１１５、４１  アンテナ、１１６  圧力センサ、１２１  レンズ装置、１２２  撮像処理部、１２３  信号処理部、１２４  画像記録部、１２５、２４、４３  表示部、１２６、１３０、２３、４２  通信部、１２７、１５２、２２  コネクタ、１２８、１３１、１３２  制御部、１２９  バッテリ、１４１  検出処理部、１４２、２０１、３０１  電源制御部、１４３  制御情報記憶部、１４４、２０２、３０２  送信制御部、１５  レンズカバー、１５１、２１  磁力素子、２０、４０、６０  収納ケース、
【図１】
2009188538.tif 000003
【図２】
2009188538.tif 000004
【図３】
2009188538.tif 000005
【図４】
2009188538.tif 000006
【図５】
2009188538.tif 000007
【図６】
2009188538.tif 000008
【図７】
2009188538.tif 000009
【図８】
2009188538.tif 000010
【図９】
2009188538.tif 000011
【図１０】
2009188538.tif 000012
【図１１】
2009188538.tif 000013
【図１２】
2009188538.tif 000014
【図１３】
2009188538.tif 000015
【図１４】
2009188538.tif 000016